(57)【特許請求の範囲】
【請求項１】
取付孔に複数個の配線器具が配列して取り付け可能な取付枠であって、該取付枠のフレーム部の内周縁から前記配線器具の挿入方向に屈曲され前記配線器具の配列方向への移動を規制する複数個の屈曲片と、隣接する前記屈曲片を連接し前記配線器具の抜去方向への移動を規制する連接片とを有し、
複数個の前記屈曲片は、隣接する前記屈曲片に向かって延設し前記配線器具の挿入方向への移動を規制する延設部を有し、
前記屈曲片は、前記配線器具の挿入方向において、前記延設部が前記連接片に対して突出した段部を構成することを特徴とする取付枠。
【請求項２】
取付孔に複数個の配線器具が配列して取り付け可能な取付枠であって、該取付枠のフレーム部の内周縁から前記配線器具の挿入方向に屈曲され前記配線器具の配列方向への移動を規制する複数個の屈曲片と、隣接する前記屈曲片を連接し前記配線器具の抜去方向への移動を規制する連接片とを有し、
前記フレーム部は、前記配線器具の一部を収納する収納部側の雌螺子に螺子止めする雄螺子を挿通する挿通孔と、該挿通孔の周部における当該フレーム部の外周側で前記雄螺子の頭と当接させるリブとを有し、
前記リブは、前記フレーム部の全周に亘って設けられていることを特徴とする取付枠。
【請求項３】
複数個の前記屈曲片は、隣接する前記屈曲片に向かって延設し前記配線器具の挿入方向への移動を規制する延設部を有することを特徴とする請求項２に記載の取付枠。
【請求項４】
前記屈曲片は、前記配線器具の挿入方向において、前記延設部が前記連接片に対して突出した段部を構成することを特徴とする請求項３に記載の取付枠。
【請求項５】
前記フレーム部、隣接する前記屈曲片および前記連接片で囲んで構成される孔部が、前記配列方向に等間隔で同一形状に複数個設けられていることを特徴とする請求項２ないし請求項４のいずれか１項に記載の取付枠。
【請求項６】
請求項１乃至請求項５のいずれか１項に記載の取付枠と、配線器具とを有し、該配線器具は、前記取付枠の前記フレーム部の内周縁から前記配線器具の挿入方向に屈曲された前記屈曲片と当接することで前記配線器具の配列方向への移動を規制する凸部と、前記取付枠に弾接することで係合され前記配線器具の抜去方向への移動を規制する係合爪とを備えたことを特徴とする配線装置。
【発明の詳細な説明】
【技術分野】
【０００１】
本発明は、配線器具を施工面側に取り付けるための取付枠および配線器具が取付枠に取り付けられた配線装置に関するものである。
【背景技術】
【０００２】
従来より、施工面側にスイッチやコンセントなどの配線器具を配設するため、配線器具が取付枠に取り付けられた配線装置が提供されている。
【０００３】
この種の配線装置として、たとえば、施工面側を後面として施工面に固定され前面が矩形状に開口した取付孔と該取付孔の内周縁に設けられた取付溝を有する取付枠と、取付孔に挿入され取付枠に配列して取り付けられる複数個の配線器具とを備えたものが知られている（たとえば、特許文献１）。
特許文献１には、配線器具として、取付孔に挿入される側の先端部に互いに離れる向きの引掛爪が突設され弾性が付与された取付脚を備えたものが記載されている。上述の配線装置は、配線器具の取付脚が取付枠の取付溝に嵌まることで配線器具の縦方向および横方向の移動が規制され、配線器具の引掛爪を取付孔に挿通させ取付枠の後面側に配線器具の引掛爪が引っ掛けることで、配線器具を取付枠に固定している。配線装置は、取付枠に配線器具の引掛爪を単に引っ掛けるだけで、取付枠に複数個の配線器具を任意に取り付けることができる高い汎用性を備えている。また、配線装置は、取付枠への引掛爪の係合を解除するだけで配線器具を取付枠から取り外すことも容易にできる。
【先行技術文献】
【特許文献】
【０００４】
【特許文献１】特開２０１０−５７２２７号公報
【発明の概要】
【発明が解決しようとする課題】
【０００５】
ところで、特許文献１に記載の配線装置は、配線器具の弾性を有する取付脚で配線器具の縦方向および横方向の移動を規制させている。そのため、配線器具は、取付枠に取り付けた状態においても配線器具の配列方向にわずかに移動してしまう恐れがあった。そして、配線装置は、配線器具が移動することによって、複数個の配線器具の配列方向において配線器具間の隙間の幅にばらつきが生じて美観を損なう恐れがあった。
【０００６】
本発明は上記事由に鑑みて為されたものであり、その目的は、配線器具が移動することによって、複数個の配線器具の配列方向において配線器具間の隙間の幅にばらつきが生じることを抑制し、比較的簡単な構成で配線器具を安定して取り付けることができる取付枠および配線装置を提供することにある。
【課題を解決するための手段】
【０００７】
本発明の取付枠は、取付孔に複数個の配線器具が配列して取り付け可能な取付枠であって、該取付枠のフレーム部の内周縁から上記配線器具の挿入方向に屈曲され上記配線器具の配列方向への移動を規制する複数個の屈曲片と、隣接する上記屈曲片を連接し上記配線器具の抜去方向への移動を規制する連接片とを有し、複数個の上記屈曲片は、隣接する上記屈曲片に向かって延設し上記配線器具の挿入方向への移動を規制する延設部を有し、上記屈曲片は、上記配線器具の挿入方向において、上記延設部が上記連接片に対して突出した段部を構成することを特徴とする。
【０００８】
本発明の取付枠は、取付孔に複数個の配線器具が配列して取り付け可能な取付枠であって、該取付枠のフレーム部の内周縁から上記配線器具の挿入方向に屈曲され上記配線器具の配列方向への移動を規制する複数個の屈曲片と、隣接する上記屈曲片を連接し上記配線器具の抜去方向への移動を規制する連接片とを有し、上記フレーム部は、上記配線器具の一部を収納する収納部側の雌螺子に螺子止めする雄螺子を挿通する挿通孔と、該挿通孔の周部における当該フレーム部の外周側で上記雄螺子の頭と当接させるリブとを有し、上記リブは、上記フレーム部の全周に亘って設けられていることを特徴とする。
【０００９】
この取付枠において、複数個の上記屈曲片は、隣接する上記屈曲片に向かって延設し上記配線器具の挿入方向への移動を規制する延設部を有することが好ましい。
【００１０】
この取付枠において、上記屈曲片は、上記配線器具の挿入方向において、上記延設部が上記連接片に対して突出した段部を構成することが好ましい。
【００１１】
この取付枠において、上記フレーム部、隣接する上記屈曲片および上記連接片で囲んで構成される孔部が、上記配列方向に等間隔で同一形状に複数個設けられていることが好ましい。
【００１２】
本発明の配線装置は、上述の取付枠と、配線器具とを有し、該配線器具は、前記取付枠の前記フレーム部の内周縁から前記配線器具の挿入方向に屈曲された前記屈曲片と当接することで前記配線器具の配列方向への移動を規制する凸部と、前記取付枠に弾接することで係合され前記配線器具の抜去方向への移動を規制する係合爪とを備えたことを特徴とする。
【発明の効果】
【００１４】
本発明の配線装置では、配線器具が移動することによって、複数個の配線器具の配列方向において配線器具間の隙間の幅にばらつきが生じることを抑制し、比較的簡単な構成で配線器具を取付枠に安定して取り付けることができる配線装置を提供できるという効果がある。
【００１５】
本発明の取付枠では、配線器具が移動することによって、複数個の配線器具の配列方向において配線器具間の隙間の幅にばらつきが生じることを抑制し、比較的簡単な構成で配線器具を安定して取り付けることができる取付枠を提供できるという効果がある。
【図面の簡単な説明】
【００１６】
【図１】実施形態の配線装置を示し、（ａ）は平面図、（ｂ）は側面図、（ｃ）は正面図、（ｄ）は一部破断した斜視図である。
【図２】同上の配線装置を示し、（ａ）は斜視図、（ｂ）は（ａ）のＡ−Ａ断面説明図、（ｃ）は（ａ）のＢ−Ｂ断面説明図である。
【図３】同上の配線装置を示し、（ａ）、（ｂ）は互いに異なる数の配線器具を同一形状の取付枠に取り付けた正面図である。
【図４】同上の配線装置を示し、（ａ）は要部平面説明図、（ｂ）は要部断面図である。
【図５】同上の他の配線装置を示し、異なる数の配線器具を同一形状の取付枠に取り付けた説明図である。
【図６】同上の別の配線装置の取付枠を示す平面図である。
【図７】同上の配線装置の取付枠および化粧プレートの斜視説明図である。
【図８】同上の更に他の配線装置の取付枠を示す平面図である。
【図９】同上の更に別の配線装置の取付枠を示す平面図である。
【図１０】（ａ）〜（ｄ）は、同上の配線装置の平面図である。
【発明を実施するための形態】
【００１７】
以下、本実施形態の配線装置１０について、図１ないし図４に基づいて説明する。なお、図中において、同じ部材に対しては、同じ番号を付して重複する説明を省略する。
【００１８】
本実施形態の配線装置１０における取付枠２は、図１（ａ），（ｂ），（ｃ）に示すように、外形が矩形の板形状であって、前方（図１（ｃ）の上方）より複数個（ここでは、３個以下）の配線器具１を配列して取り付け可能な矩形状の取付孔２ａａを中央部に貫設させたフレーム部２ａを備えている。ここでは、配線装置１０の取付枠２は、矩形平板状のフレーム部２ａの平面視長方形状における外形と略相似形の取付孔２ａａを中央部に貫設されている。取付枠２は、フレーム部２ａの取付孔２ａａにおける内周縁側から屈曲部３ａを介して配線器具１の挿入方向Ｙ１（図１（ｃ）を参照）に屈曲させた屈曲片３を備えている。ここで、屈曲片３は、矩形状の取付孔２ａａにおける対向する一対の端辺側に等間隔でそれぞれ複数個（ここでは、６個）づつ備えている。取付枠２の屈曲片３は、屈曲部３ａ側と反対の先端部側に、隣接する屈曲片３，３間に連接し配線器具１の配列方向Ｘ（図１（ｃ）を参照）と平行となる連接片４を備えている。
【００１９】
そのため、取付枠２は、フレーム部２ａ、隣接する屈曲片３，３および連接片４で囲んで構成される同一形状の孔部３ｂｂが配列方向Ｘに等間隔で複数個（ここでは、５個）設けられている。なお、取付枠２の孔部３ｂｂには、隣接する屈曲片３，３に向かって各屈曲片３から延設した一対の延設部３ｂ，３ｂがそれぞれ備えられている（図１（ｄ）を参照）。
【００２０】
また、本実施形態の配線装置１０における配線器具１は、図２（ａ），（ｂ），（ｃ）に示すように、たとえば、取付枠２のフレーム部２ａの後方側に一部が収容される直方体状の器体２３ａと、前面側にスイッチ操作部２３ｂとを備えたスイッチ２３を用いることができる。なお、配線器具１の器体２３ａは、電源線（図示していない）と接続される端子部（図示していない）が備えられた接点装置（図示していない）を内部に収納し、器体２３ａの後面側に上記電源線が挿入される端子孔（図示していない）が設けられている。
【００２１】
配線器具１は、直方体状の器体２３ａの対向する短側面側それぞれに、一組の凸部１ｂ，１ｂを上記短側面に沿って２箇所設けている（図１（ｄ）を参照）。また、配線器具１は、直方体状の器体２３ａの上記各短側面側の略中央部から配線器具１の挿入方向Ｙ１に突出した取付脚１ａが設けられている。各取付脚１ａは、先端部に器体２３ａ側とは反対側の向きに突設された係合爪１ａａをそれぞれ備えている（図１（ｄ）および図２（ｃ）を参照）。
【００２２】
図１および図２において、本実施形態の配線装置１０は、１個の配線器具１を取付枠２の取付孔２ａａの中央部に挿入し、取り付けて構成している。ここで、配線器具１は、取付枠２のフレーム部２ａの内周縁から配線器具１の挿入方向Ｙ１に屈曲させた屈曲片３と当接することで配線器具１の配列方向Ｘへの移動を規制する凸部１ｂと、取付枠２に弾接することで係合され配線器具１の抜去方向Ｙ２（図１（ｃ）を参照）への移動を規制する係合爪１ａａとを備えた構成としている。ここで、配線器具１は、配線器具１の凸部１ｂを取付枠２に貫設した孔部３ｂｂの一部を構成する屈曲片３に当接させることで配線器具１の配列方向Ｘへの移動を規制する機能を備えている。また、配線器具１は、取付脚１ａが取付枠２の連接片４と弾接し、係合爪１ａａが連接片４と係合することで、配線器具１の抜去方向Ｙ２への移動を規制できる機能を備えている（図２（ｃ）を参照）。
【００２３】
本実施形態の配線装置１０の取付枠２は、複数個の配線器具１の配列方向Ｘに配線器具１が移動することを規制する機能と、配線器具１の抜去方向Ｙ２へ配線器具１が移動することを規制する機能とを、それぞれ屈曲片３と連接片４とに機能分離させている。これにより、本実施形態の配線装置１０の取付枠２は、配線器具が移動することによって、複数個の配線器具の配列方向において配線器具間の隙間の幅にばらつきが生じることを抑制し、比較的簡単な構成で配線器具１を安定して取り付けることができる。
【００２４】
以下、本実施形態の配線装置１０の各構成について詳述する。
【００２５】
取付枠２は、取付孔２ａａが中央部に貫設されている。取付枠２の長方形状の取付孔２ａａは、複数個（ここでは、３個以下）の配線器具１が挿入され配列して取り付けられるように、複数個の配線器具１を密接して配列させた外形よりも若干大きく形成している。ここで、取付枠２の取付孔２ａａは、平面視において長方形状のスイッチ２３たる配線器具１の短側面側方向（配列方向Ｘと垂直方向）への移動が規制できるように、長方形状の取付孔２ａａの短手方向の長さを配線器具１の短側面側と当接することが可能な長さにしている。なお、取付枠２の取付孔２ａａは、取り付ける配線器具１の大きさや数に応じて適宜の大きさとすればよい。あるいは、配線器具１は、取付枠２の取付孔２ａａの大きさに応じて適宜の形状とすればよい。
【００２６】
取付枠２のフレーム部２ａには、取付孔２ａａの対向する一対の長手方向それぞれの内周縁側から配線器具１の挿入方向Ｙ１に屈曲部３ａで屈曲させた複数個（ここでは、６本）の屈曲片３が突設している。屈曲片３は、隣接する屈曲片３，３を連接した連接片４が設けられている。そのため、取付枠２は、フレーム部２ａ、複数個の屈曲片３および連接片４で囲んで構成される上述の孔部３ｂｂが、同一形状であって等間隔で複数個設けられることになる。ここで、取付枠２の屈曲片３は、配線器具１の配列方向Ｘへの移動を規制する機能を備えている。また、取付枠２の連接片４は、配線器具１の抜去方向Ｙ２への移動を規制する機能を備えている。さらに、取付枠２の連接片４は、配線器具１の凸部１ｂと当接することで、配線器具１の挿入方向Ｙ１の移動を規制する機能を備えることもできる。
【００２７】
なお、複数個の同一形状の孔部３ｂｂを配列方向Ｘに設けるだけでなく、挿入方向Ｙ１にも複数備えてもよい。これにより配線器具１の器体２３ａの大きさなどに応じて取付脚１ａの長さを異ならせた種類の配線器具１を取付枠２に取り付けることも可能となる。
【００２８】
また、本実施形態に用いられる取付枠２は、複数個の屈曲片３が隣接する屈曲片３，３に向かって延設され、配線器具１の挿入方向Ｙ１への移動を規制する延設部３ｂを、連接片４のフレーム部２ａ側に備えている。ここで、屈曲片３は、配線器具１の挿入方向Ｙ１において、延設部３ｂが連接片４に対して突出した段部を構成している。すなわち、本実施形態における取付枠２の屈曲片３は、屈曲片３が配線器具１の挿入方向Ｙ１において、屈曲片３の幅をフレーム部２ａ側よりも連接片４側において広くしており、配線器具１の配列方向Ｘと平行な部位と、配線器具１の挿入方向Ｙ１に平行な部位とで階段状に形成させることで上記段部を形成させている。屈曲片３の延設部３ｂは、配線器具１が取付枠２に挿入される際に、上記段部と嵌合する窪み部１ｂａを備えた配線器具１の凸部１ｂとの位置決めに利用することができる（図１（ｄ）を参照）。
【００２９】
すなわち、取付枠２は、取付枠２の隣接する一対の屈曲片３，３が配線器具１の各凸部１ｂに当接することで、取付枠２の屈曲片３が配線器具１の凸部１ｂにおける配線器具１の配列方向Ｘの移動を抑制することもできる。
【００３０】
また、取付枠２の延設部３ｂは、上記段部を備えた構成だけでなく、配線器具１の挿入方向Ｙ１に沿って隣接する屈曲片３の幅が徐々に広がる形状を備えて構成することができる。この場合、配線器具１の凸部１ｂは、挿入方向Ｙ１に向かって凸部１ｂの幅を狭くなる形状とすることにより、屈曲片３の延設部３ｂと当接して屈曲片３と嵌め合わせすることが可能となる。
【００３１】
本実施形態の配線装置１０は、配線器具１の各取付脚１ａが隣接する屈曲片３，３の間にそれぞれ進入するように、配線器具１を取付孔２ａａ内に挿入させる。配線器具１の各取付脚１ａの係合爪１ａａは、屈曲片３と連接された連接片４に接触することで撓む。また、配線器具１の凸部１ｂ，１ｂは、隣接する屈曲片３，３の間に差し込まれて各屈曲片３，３と当接する。ここで、係合爪１ａａは、連接片４の後縁部４ａを通過すると、配線器具１における取付脚１ａの撓みが解除されて連接片４側に取付脚１ａが弾接し、係合爪１ａａが連接片４に係合する。
【００３２】
同時に、隣接する屈曲片３，３の間では、配線器具１の凸部１ｂ，１ｂがそれぞれ差し込まれ取付枠２の連接片４と当接する。配線器具１は、配線器具１の各凸部１ｂそれぞれが、フレーム部２ａ、隣接する屈曲片３，３および連接片４とで構成される孔部３ｂｂの内側と、孔部３ｂｂの外側とで取付枠２側とそれぞれ当接して取付枠２に固定される。
【００３３】
なお、配線装置１０は、配線器具１の凸部１ｂが取付枠２の屈曲片３と当接するような配列方向Ｘの幅寸法となるように、取付枠２の屈曲片３の幅を規定している。同様に、配線装置１０は、配線器具１の係合爪１ａａが取付枠２の連接片４の後縁部４ａに引っ掛かるような挿入方向Ｙ１の長さ寸法となるように、取付枠２の屈曲片３の長さや連接片４の幅を規定している。したがって、本実施形態の配線装置１０では、取付枠２の連接片４における後縁部４ａが係合爪１ａａを受ける爪受部として機能することになる。
【００３４】
本実施形態に用いられる取付枠２は、本実施形態に用いられる配線器具１の凸部１ｂを取付枠２の隣接する屈曲片３，３に当接させることにより、配線器具１の配列方向Ｘへの移動を規制することが可能となる。また、本実施形態に用いられる取付枠２は、本実施形態に用いられる配線器具１の凸部１ｂが取付枠２の連接片４と当接することにより、配線器具１の挿入方向Ｙ１への移動を規制することが可能となる。すなわち、配線器具１は、取付枠２に固定される。
【００３５】
ところで、本実施形態の配線装置１０では、図１および図２に示すように、１個の配線器具１を取付枠２の取付孔２ａａに挿入して取り付けてある。ここで、本実施形態の配線装置１０は、取付枠２における取付孔２ａａの長手方向に沿って複数個（ここでは、３個以下）の配線器具１を配列して取り付けることができるように、複数個（ここでは、５個）の同一形状の孔部３ｂｂを所定の等間隔で設けている。また、配線装置１０は、配線器具１の配列方向Ｘの大きさを、所定の単位寸法として、複数種類の配線器具１が取付枠２の取付孔２ａａに配列して取り付けることができるように、上述の所定の単位寸法を基にその外形寸法が決められている。たとえば、配線器具１は、取付枠２に配線器具１の種類や仕様などに応じて適宜配列できるように、配線器具１の配列方向Ｘにおける大きさを所定の単位寸法や、当該単位寸法の１．５倍、２倍、３倍などの大きさで形成している。
【００３６】
そのため、本実施形態の配線装置１０は、図３に示すように、図１および図２の配線器具１と同一形状の３個の配線器具１を図１および図２の取付枠２と同一形状の取付枠２に取り付けることができる（図３（ａ）を参照）。すなわち、図３（ａ）の配線装置１０では、図１の配線器具１の両側にそれぞれ同一形状の配線器具１を１個づつ追加し、全部で３個の配線器具１を取付枠２に取り付けている。
【００３７】
同様に、本実施形態の配線装置１０は、図１および図２の配線器具１と同一形状の２個の配線器具１を図１および図２の取付枠２と同一形状の取付枠２に取り付けることもできる（図３（ｂ）を参照）。図３（ｂ）の配線装置１０では、図１の配線器具１の代わりに、取付枠２の取付孔２ａａにおける中心部から所定の単位寸法の０．５倍づつ配列方向Ｘにおいて離れる方向に同一形状の配線器具１を配列させて、全部で２個の配線器具１を取付枠２に取り付けている。
【００３８】
すなわち、本実施形態に用いられる取付枠２は、配線器具１の複数個の凸部１ｂを互いに隣り合う２つの屈曲片３，３に当接させて配線器具１の配列方向Ｘの移動を規制している。そのため、取付枠２は、屈曲片３を設ける間隔によって、配線器具１を取付枠２の取付孔２ａａに配線器具１の配列方向Ｘにずらして取り付けることができる。
【００３９】
また、本実施形態に用いられる取付枠２のフレーム部２ａは、図示していない施工面側に埋設され、配線器具１の器体２３ａの一部を収納可能な内部が空洞で直方体状のボックスたる収納部９に固定している（図４（ａ），（ｂ）を参照）。そのため、取付枠２のフレーム部２ａは、収納部９の内側面９ｃに取り付けられたフランジ９ａの雌螺子９ａａに螺子止めする雄螺子１１を挿通する挿通孔５ａを備えている。取付枠２の挿通孔５ａは、平面視において、フレーム部２ａの取付孔２ａａを介して対向する位置にそれぞれ設けられており、フレーム部２ａの厚み方向に貫設させている。
【００４０】
また、取付枠２のフレーム部２ａは、挿通孔５ａの周部における当該フレーム部２ａの外周側で雄螺子１１の頭１１ａと当接させるリブ５を有している（図４（ｂ）を参照）。リブ５は、雄螺子１１の雌螺子９ａａへの螺子締め時に雄螺子１１の頭１１ａがフレーム部２ａの前面側に形成されているリブ５に当接できればよい。これにより、取付枠２は、雄螺子１１の螺子締め時の過負荷に伴って、配線器具１が収納される取付孔２ａａ側へフレーム部２ａの一部が沈み込むように変形することを抑制することが可能となる。
【００４１】
なお、本実施形態の配線装置１０の取付枠２は、前面側が開口した収納部９の縁部９ｂよりも大きく形成している。取付枠２は、取付枠２を収納部９に固定することにより、取付枠２と当接する収納部９の縁部９ｂ（図４（ａ）の破線を参照）が矩形リング形状となっている。本実施形態の配線装置１０では、矩形リング形状の縁部９ｂは、長方形状としている。ここで、本実施形態に用いられる取付枠２には、フレーム部２ａの外側の全周に亘って平面視矩形のリング状に形成されたリブ６も備えている。本実施形態の配線装置１０では、平面視矩形のリング状のリブ６は、長方形状としている。フレーム部２ａに設けられた平面視矩形のリング状のリブ６は、リブ６の長手方向が縁部９ｂの短手方向と直交するように形成させている（図４（ａ）を参照）。そのため、フレーム部２ａの全周に亘って設けられたリブ６は、フレーム部２ａの前面と垂直方向におけるフレーム部２ａの変形を抑制する補強部として機能する。
【００４２】
すなわち、リブ６は、平面視において、縁部９ｂを挟んで収納部９の内側と外側とに連続して橋渡されているため、収納部９の縁部９ｂに当接するフレーム部２ａの強度を向上させることができる。したがって、取付枠２のフレーム部２ａの前面側に設けられたリブ６は、フレーム部２ａが外力で変形することを抑制することが可能となる。また、取付枠２は、フレーム部２ａの強度を向上させるリブ６よりもフレーム部２ａの内側に挿通孔５ａを設けることで、雄螺子１１の螺子締め時の過負荷に伴いフレーム部２ａが収納部９の内側に窪むことを抑制することが可能となる。なお、本実施形態に用いられる取付枠２のリブ５やリブ６は、金属製の取付枠２を押圧加工することでフレーム部２ａの前面側に突出させて形成させているが、フレーム部２ａとは別途に形成された補強材をフレーム部２ａに固着してリブ５やリブ６を構成させることもできる。
【００４３】
また、本実施形態に用いられる取付枠２は、取付枠２の取付孔２ａａにおける隅部の外側となるフレーム部２ａに矩形状の複数個（ここでは、４個）の保持孔７ａを貫設している。取付枠２に設けられた保持孔７ａは、樹脂成形された矩形筒状の保護スリーブ７（図２を参照）を挿入して保持することができる。保護スリーブ７は、後述する化粧プレート２１の保持爪部２１ｂを保持する機能を備えている。
【００４４】
また、本実施形態に用いられる取付枠２には、矩形平板状のフレーム部２ａの対角線方向に３つ一組の貫設孔８ａ，８ｂ，８ｂをそれぞれ貫設している。各組において真ん中にある貫設孔８ａは、平面視矩形状であって、貫設孔８ａを挟みフレーム部２ａの短手方向において対向して設けられた一対の貫設孔８ｂよりも大きく形成している。取付枠２の貫設孔８ａは、たとえば、施工面における配線装置１０の位置を常時表示するため、図示していない発光ダイオードなどの表示装置の表示部を露出させることができる。取付枠２の一対の貫設孔８ｂ，８ｂは、表示装置を取付枠２に保持させるための図示しない保持脚の固定部として機能させることができる。
【００４５】
このような取付枠２を製造するためには、金属平板（たとえば、ステンレス材など）に取付孔２ａａ、孔部３ｂｂ、保持孔７ａ、貫設孔８ａ、８ｂを金型の打ち抜きより形成させる打ち抜き加工工程を設ければよい。また、取付枠２は、取付枠２のリブ５およびリブ６を押圧により形成するリブ形成工程を設ければよい。さらに、取付枠２は、押圧により取付枠２の屈曲部３ａを屈曲させて屈曲片３を形成させる屈曲工程を設ければよい。取付枠２は、打ち抜き加工工程、リブ形成工程および屈曲工程の各工程を順に行うだけの比較的簡単な製造方法で、量産性よく製造することができる。なお、取付枠２は、取付枠２を製造する金型の構造によっては、打ち抜き加工工程、リブ形成工程や屈曲工程をそれぞれ分けて行うだけでなく、適宜に同時に行うこともできる。
【００４６】
本実施形態の配線装置１０は、図１ないし図３で示す所定の単位寸法の配線器具１たるスイッチ２３を最大３個まで配列することが可能な取付枠２を用いるだけでなく、複数個の配線器具１を適宜に配列できる取付枠２の構成としてもよい。したがって、本実施形態の配線装置１０は、たとえば、図５に示すように、所定の単位寸法のスイッチ２３を最大２個まで配列することが可能な取付枠２の構成としてもよい（図５（ａ）および図５（ｃ）を参照）。図５に示す取付枠２では、取付枠２の取付孔２ａａの中央部に所定の単位寸法のスイッチ２３を１個設置することもできる（図５（ｂ）および図５（ｄ）を参照）。
【００４７】
また、本実施形態の配線装置１０に用いられる取付枠２は、図６に示すように、所定の単位寸法のスイッチ２３を、たとえば、最大９個まで配列することが可能な取付枠２の構成とすることもできる。ここで、図６に示す取付枠２では、フレーム部２ａの取付孔２ａａの外側の全周に渡って設けたリブ６の一部に、各挿通孔５ａを設けている。図６の取付枠２のリブ６は、各挿通孔５ａの周部におけるフレーム部２ａの外周側で螺子締め時に雄螺子１１の頭１１ａと当接してフレーム部２ａの強度を向上させる上述したリブ５と兼用させている。これにより、図６に示す取付枠２のリブ６は、取付枠２のフレーム部２ａの強度を向上させる強度向上機能と、雄螺子１１の螺子締め時に生ずる負荷を分散させる荷重分散機能とを合わせ持つことができる。
【００４８】
したがって、本実施形態に用いられる取付枠２に設けられた螺子止め用のリブ５と、フレーム部２ａの強度向上用のリブ６とは、必ずしも別々に形成する必要もなく、リブ５とリブ６とを形成させる形成箇所を少なくしつつ、過負荷に対する必要な耐性の向上を図ることが可能となる。
【００４９】
図６に示した取付枠２は、取付枠２の取付孔２ａａにおける隅部の外側となるフレーム部２ａに矩形状の複数個（ここでは、４個）の保持孔７ａを貫設している。取付枠２に設けられる各保持孔７ａは、保護スリーブ７を保持し、取付枠２の前面側を覆う化粧プレート２１の各保持爪部２１ｂを保護スリーブ７に係合させることで取付枠２側に化粧プレート２１を固定させることができる（図７を参照）。なお、化粧プレート２１は、配線器具１を前面側で露出される窓部２１ｂｃを備えている。また、化粧プレート２１は、配線器具１が取り付けられる取付枠２のフレーム部２ａの外形の大きさよりも若干大きく形成されており、取付枠２のフレーム部２ａの前面側を覆うように取り付けられる。
【００５０】
化粧プレート２１の保持爪部２１ｂは、化粧プレート２１の取付枠２側に突出するように複数個（ここでは、４個）設けることができる。同様に、化粧プレート２１は、矩形状の化粧プレート２１の窓部２１ｂｃを介して両側に一対の取付スリット２１ｂｂをそれぞれ貫設している。化粧プレート２１の窓部２１ｂｃを介して両側の前面側を覆う矩形板状の２枚の化粧カバー２１ａは、化粧カバー２１ａの引掛爪２１ａａを化粧プレート２１の取付スリット２１ｂｂに係合させることで化粧プレート２１側に固定することができる。
【００５１】
また、本実施形態の配線装置１０に用いられる取付枠２は、図６に示す、所定の単位寸法のスイッチ２３を最大９個まで配列することが可能な取付孔２ａａを、たとえば、２個設けた図８に示す取付枠２の構成としてもよい。同様に、本実施形態の配線装置１０に用いられる取付枠２は、図６に示す、所定の単位寸法のスイッチ２３を最大９個まで配列することが可能な取付孔２ａａを３個設けた図９に示す取付枠２の構成としてもよい。
【００５２】
このような、配線装置１０は、配線器具１として、たとえば、単位寸法で形成するスイッチ２３（図１０（ａ）を参照）だけでなく、所定の単位寸法で形成するＴＶコンセント２４（図１０（ｂ）を参照）としてもよい。また、配線器具１は、所定の単位寸法の２倍の大きさで形成するコンセント２２（図１０（ａ）を参照）やレギュレータ２５（図１０（ｃ）を参照）とすることもできる。
【００５３】
なお、電源用のマルチソケットなどとして用いられるコンセント２２は、プラグの接極子（図示していない）が差し込まれるプラグ挿入孔２２ｂを配線器具１の前面側に開設している。スイッチ２３は、配線器具１の前面側にスイッチ操作部２３ｂを設けている。同様に、ＴＶコンセント２４は、ＴＶプラグのピン（図示していない）が差し込まれるピン挿入孔２４ｂを配線器具１の前面側に開設している。また、レギュレータ２５は、調整ツマミ２５ｂを配線器具１の前面側に設けている。本実施形態の配線装置１０では、配線器具１が図１０（ａ）〜（ｄ）に例示したコンセント２２、スイッチ２３、ＴＶコンセント２４、シーリングファンや照明器具などのレギュレータ２５などに限られず、電話機用のモジュラーコンセント、光コードコネクタなど様々な種類の配線器具１を適宜に利用することができる。
【００５４】
本実施形態の配線装置１０における取付枠２は、フレーム部２ａ、複数個の屈曲片３および連接片４で囲まれる孔部３ｂｂが、同一形状であって等間隔で複数個設けている。そのため、本実施形態の取付枠２は、所定の単位寸法の配線器具１であるスイッチ２３を取付枠２の取付孔２ａａに１個から３個任意の数を取り付けることができるだけでなく（図１ないし図３を参照）、所定の単位寸法の配線器具１である１個のスイッチ２３と、所定の単位寸法の２倍の大きさとした配線器具１である１個のコンセント２２とを取付枠２の取付孔２ａａに取り付けることができる（図１０（ａ）を参照）。
【００５５】
なお、本実施形態に用いられる取付枠２は、取付枠２の短手方向を上下方向として施工面側に取り付けることもできるし、取付枠２の長手方向を上下方向として施工面側に取り付けることもできる。
【００５６】
このように形成された本実施形態に用いられる配線器具１および取付枠２を用いた配線装置１０は、複数個の配線器具１の配列方向Ｘに配線器具１が移動することを規制する機能と、配線器具１の抜去方向Ｙ２へ配線器具１が移動することを規制する機能とを、それぞれ取付枠２における屈曲片３と連接片４とに機能分離させている。これにより、配線装置１０は、配線器具が移動することによって、複数個の配線器具の配列方向において配線器具間の隙間の幅にばらつきが生じることを抑制し、比較的簡単な構成で配線器具１を取付枠２に安定して取り付けることができる。
【符号の説明】
【００５７】
Ｘ  配列方向
Ｙ１  挿入方向
Ｙ２  抜去方向
１  配線器具
１ａａ  係合爪
１ｂ  凸部
２  取付枠
２ａ  フレーム部
２ａａ  取付孔
３  屈曲片
３ｂｂ  孔部
４  連接片
５  リブ
９ａａ  雌螺子
１０  配線装置
１１  雄螺子
１１ａ  頭
【図１】
0005608028.tif 000002
【図２】
0005608028.tif 000003
【図３】
0005608028.tif 000004
【図４】
0005608028.tif 000005
【図５】
0005608028.tif 000006
【図６】
0005608028.tif 000007
【図７】
0005608028.tif 000008
【図８】
0005608028.tif 000009
【図９】
0005608028.tif 000010
【図１０】
0005608028.tif 000011